(57)【特許請求の範囲】
【請求項１】
天板に形成した開口部内に装着される配線カバーの取付構造であって、
前記天板には、前記開口部内に突出し前記配線カバーを着脱可能に支持しうる複数の支持部材が設けられ、この少なくとも１個の支持部材における突出端部の上面には、前記開口部の１辺と平行をなす上向突部と、該上向突部の外方の上面に、該上向突部と平行をなして離間する第２の上向突部が突設され、
前記配線カバーにおける前記開口部の１辺と対応する１辺には、載置片が設けられており、
前記配線カバーは、前記上向突部と前記第２の上向突部との対向面間に、前記載置片の先端部が係止保持された状態で９０度を超える位置まで起立されたとき、前記配線カバーの側端部の上面が前記天板における開口部の上縁に接して停止するようにしたことを特徴とする配線カバーの取付構造。
【請求項２】
第２の上向突部は、略山型形状をなす断面となっていることを特徴とする請求項１に記載の配線カバーの取付構造。
【請求項３】
載置片の先端部下面に、上向突部と平行をなす突条を突設し、該突条の表面が湾曲されることを特徴とする請求項１または２に記載の配線カバーの取付構造。
【請求項４】
開口部及び配線カバーを平面視方形をなすものとし、これら開口部と配線カバーとの４辺の適所に、それぞれ、上向突部を有する支持部材と、上向突部に載置される載置片を設けたことを特徴とする請求項１ないし３のいずれかに記載の配線カバーの取付構造。
【発明の詳細な説明】
【技術分野】
【０００１】
本発明は、机やテーブル等の天板に形成された配線用開口部への配線カバーの取付構造に関する。
【背景技術】
【０００２】
従来の配線カバーの取付構造としては、例えば、特許文献１に記載されているように、天板の開口部の一方の縁部に設けた支持部材により、カバー体の一側部を上下方向に回動可能、かつ起立状態に保持しうるように支持したものや、特許文献２に記載されているように、配線ダクトの開口に設けた支持軸ブロックの軸に、配線カバーの一側部に形成した軸受部を、回動可能、起立保持可能、及び着脱可能に装着したものがある。
【先行技術文献】
【特許文献】
【０００３】
【特許文献１】特開２００６−６７７０号公報
【特許文献２】特開２０１０−２３３５９５号公報
【発明の概要】
【発明が解決しようとする課題】
【０００４】
前述の特許文献１に記載されている配線カバーの取付構造においては、カバー体を開口部より取り外すことなく、配線作業を行いうる利点があるが、カバー体を簡単に支持部材より取り外すことができないので、カバー体を取り外して開口部を大きく開口させたいときにそれができず、不便である。また、カバー体を回動可能に支持する構造及びそれを起立状態に保持する機構が複雑であるので、コストが増大する。
【０００５】
一方、特許文献２に記載されている配線カバーの取付構造においては、配線カバーが、配線ダクトの開口に起立保持可能、かつ着脱可能に装着されているので、配線作業を容易に行いうるとともに、配線カバーを必要に応じて取り外すことができる。
【０００６】
しかしながら、特許文献１と同様に、配線カバーを回動可能に支持する構造及びそれを起立状態に保持する機構が複雑であるので、コストが増大する。
【０００７】
本発明は、このような問題点に着目してなされたもので、天板の開口部に着脱可能に装着した配線カバーを、極めて簡単な手段により起立状態に保持し、コスト低減が図れるようにした配線カバーの取付構造を提供することを目的としている。
【課題を解決するための手段】
【０００８】
前記課題を解決するために、本発明の配線カバーの取付構造は、
天板に形成した開口部内に装着される配線カバーの取付構造であって、
前記天板の下面に、前記開口部内に突出することにより前記配線カバーを着脱可能に支持しうる複数の支持部材を設け、この少なくとも１個の支持部材における突出端部の上面に、前記開口部の１辺と平行をなす上向突部を突設するとともに、前記配線カバーにおける該開口部の１辺と対応する１辺に、ほぼ水平をなす載置片を、前記上向突部により支持しうるように設け、前記上向突部に前記載置片の先端を係止させた状態で、前記配線カバーを９０度を超える位置まで起立させたとき、配線カバーの側端部の上面が前記天板における開口部の上縁に接して停止するようにしたことを特徴としている。
この特徴によれば、天板の下面に設けた支持部材における上向突部に、配線カバーに設けた載置片の先端を係止させた状態で、配線カバーを９０度を超える位置まで起立させ、配線カバーの側端部の上面を天板の開口部の上縁に接して停止させるだけで、配線カバーを起立保持することができる。従って、配線カバーを開口部より取り外すことなく、開口部を大きく開放することができるとともに、複雑な構造の保持機構を設ける必要がないので、コスト低減が図れる。
【００１０】
本発明の配線カバーの取付構造は、
第２の上向突部は、略山型形状をなす断面となっていることを特徴としている。
この特徴によれば、第２の上向突部を載置片の先端が容易に乗り越えることができるとともに、載置片の先端部を両上向突部との対向面間に円滑に誘導することができる。
【００１１】
本発明の配線カバーの取付構造は、
載置片の先端部下面に、上向突部と平行をなす突条を突設し、該突条の表面が湾曲されることを特徴としている。
この特徴によれば、載置片の先端部下面に突設した突条が、上向突部の上縁に当接して係止されるので、載置片が上向突部を乗り越えて脱落する虞が小さくなり、かつ突条を軸として配線カバーを回動させ易くなる。
【００１２】
本発明の配線カバーの取付構造は、
開口部及び配線カバーを平面視方形をなすものとし、これら開口部と配線カバーとの４辺の適所に、それぞれ、上向突部を有する支持部材と、上向突部に載置される載置片を設けたことを特徴としている。
この特徴によれば、配線カバーを、天板の前後左右の４方向に選択的に起立保持することができるので、使い勝手が向上する。
【図面の簡単な説明】
【００１３】
【図１】本発明の一実施例を適用した天板の一部を前方より見た斜視図である。
【図２】同じく、配線カバーを起立保持した状態の斜視図である。
【図３】開口部の一隅部に設けた支持部材の拡大斜視図である。
【図４】配線カバーの一隅部に設けたコーナー部材を底面から見た斜視図である。
【図５】図１のＶ−Ｖ線に沿う、配線カバー装着前の縦断面図である。
【図６】同じく、図１のＶ−Ｖ線に沿う、配線カバー装着時の縦断面図である。
【図７】配線カバーを起立させた初期状態の拡大縦断面図である。
【図８】同じく、配線カバーを内方に若干移動させた状態の拡大縦断面図である。
【図９】同じく、配線カバーを起立保持した状態の拡大縦断面図である。
【図１０】同じく、配線を行った状態の拡大縦断面図である。
【図１１】変形例１における配線カバーを起立保持した状態の拡大縦断面図である。
【図１２】変形例２における配線カバーを起立保持した状態の拡大縦断面図である。
【図１３】配線カバーを細長い長方形とした実施例の概略平面図である。
【発明を実施するための形態】
【００１４】
本発明に係る配線カバーの取付構造を実施するための形態を実施例に基づいて以下に説明する。
【実施例】
【００１５】
図１及び図２は、本発明の配線カバー１の取付構造を適用したテーブルの天板２の一部を前方より見た斜視図で、配線カバー１は、天板２の適所に形成された上下両方向に開口する方形（正方形）の配線用開口部３に、着脱可能かつ起立状態に保持しうるように装着されている。図５、図６に示すように、開口部３の下方の天板２の下面には、配線ダクト４が取り付けられている。
【００１６】
図２、図３、図５、及び図６に示すように、天板２の下面における開口部３の四隅部には、配線カバー１の四隅部を支持するための支持部材５が、開口部３内に突出するようにして取り付けられている。
【００１７】
各支持部材５は、外端部が天板２の下面に複数のネジ６により固定された平面視ほぼ方形の基板７と、この基板７の厚肉部の上面に、開口部３の隅部の２辺と平行をなすように突設された垂直の第１上向突部８、８と、同じく両第１上向突部８と離間する外方の基板７の上面に、両第１上向突部８及び開口部３の隅部の２辺と平行をなすように突設された三角形断面（略山型断面）の第２上向突部９、９とを備えている。
【００１８】
第１上向突部８と第２上向突部９とは等高をなし、それらの対向面間には、上方に向かって拡開する係止溝１０が形成されている。
【００１９】
また、第１上向突部８と第２上向突部９の上端は、天板２の上面より所要寸法下方に位置する高さとされ、第１、第２上向突部８、９の上端により配線カバー１を支持したとき、この配線カバー１における後記するカバー本体１５の上面と天板２の上面とが同一面に整合するようになっている（図６参照）。
【００２０】
第１上向突部８、８と、第２上向突部９、９とが直角に交差する隅部には、図示しないパネルの取付部１１が形成されており、このパネル取付部１１と、その下面に下向きに連設された支持筒１２内には、天板２の上面に立設されるパネルの支柱を嵌合するための上方に開口する有底の嵌合孔１３が形成されている。嵌合孔１３の上端開口部は、パネルを使用するとき以外は、着脱可能なキャップ１４により閉塞されている。
【００２１】
なお、天板２の上面にパネルを立設しないときは、パネル取付部１１と支持筒１２を省略し、支持部材５の基板７の上面に、第１上向突部８、８と第２上向突部９、９のみを、直角に交差するように設ければよい。
【００２２】
図１、図２、図４、及び図５に示すように、配線カバー１は、厚さが、天板２のそれよりも小さく、かつ開口部３の大きさより若干小さな方形板状（正方形板状）をなすカバー本体１５と、このカバー本体１５の四隅部に、この四隅部の下面及び直交する２側面の下半部を覆うように、複数の皿ねじ１６により固定され、カバー本体１５の板厚の中間部において、カバー本体１５の隅部の２辺と直交する方向に水平かつ外向きに突出する載置片１７、１７を有する硬質合成樹脂製のコーナー部材１８と、カバー本体１５の四隅部を除いた４辺の下面に、各コーナー部材１８の下面及び両載置片１７の上面とほぼ同一面に整合するようにして、複数の皿ねじ１６により固定され、かつカバー本体１５の各辺と直交する方向にほぼ水平かつ外向きに突出して、カバー本体１５の周面と開口部３の内周壁との間の隙間を閉塞する、ゴムまたはエラストマー等よりなる可撓性の４個の縁カバー１９とからなっている。
【００２３】
各コーナー部材１８の載置片１７、１７の先端部下面には、それぞれ、カバー本体１５の隅部の２辺と平行な突条１７ａが、下向きに突設されている。また、この突条１７ａは、断面視で半円形状をなし、突条１７ａの表面が湾曲されて形成されている。
【００２４】
各コーナー部材１８の載置片１７、１７の下面は、配線カバー１を開口部３に装着した際、この開口部３の四隅部に取り付けた支持部材５の互いに平行をなす第１上向突部８と第２上向突部９の上端に当接して支持されるようになっている。この際、載置片１７、１７の突条１７ａは、第２上向突部９と開口部３の内周壁との間に形成される凹溝２０内に位置するようになっている。
【００２５】
配線カバー１を開口部３に装着するには、配線カバー１を、開口部３内に上方より挿入し、カバ−本体１５の四隅部に取り付けたコーナー部材１８の載置片１７、１７を、開口部３の四隅部に取り付けた支持部材５の互いに平行をなす第１、第２上向突部８、９の上面に載置すればよい（図６参照）。この状態で、縁カバー１９を弾性変形させることにより、天板２上に載置したＯＡ機器等のケーブルを配線ダクト４に落とし込んで配線することができる。
【００２６】
また、テーブルタップ等の大きな電気機器を、天板２の上方から配線ダクト４に載置する際は、配線カバー１を開口部３より取り外すか、または次のように、配線カバー１を上向きに起立保持させた状態で行うことができる。
【００２７】
図７〜図９は、配線カバー１を上向きに起立保持させる手順を示している。まず図７に示すように、配線カバー１を、一側部の互いに対向する載置片１７を支点として若干起立させる。この際、載置片１７の先端が第２上向突部９に当接して、内方に移動するのが規制されるので、ほぼ定位置で安定的に起立させることができる。
【００２８】
次いで、図８に示すように、配線カバー１を若干起立させた状態のまま、矢印のように、開口部３の内方に向かって若干移動させ、載置片１７の先端を、第１、第２上向突部８、９間の係止溝１０内に位置させる。この際、第２上向突部９を乗り越えて上昇した載置片１７の先端が、係止溝１０内に落ち込む際の衝撃により、載置片１７の先端が係止溝１０内に位置したことがすぐ分かる。
【００２９】
また、第２上向突部９を三角形断面（略山型断面）としてあるので、第２上向突部９を載置片１７の先端が容易に乗り越えることができるとともに、載置片１７の先端部を係止溝１０内に円滑に誘導することができる。
【００３０】
さらに、載置片１７の先端部下面に突設した突条１７ａが、第１上向突部８の上縁に当接して係止されるので、載置片１７が第１上向突部８を乗り越えて脱落する虞は小さい。また、突条１７ａの表面が湾曲されているため、突条１７ａを軸として配線カバー１を回動させ易くなる。
【００３１】
次いで、図９に示すように、載置片１７の先端を係止溝１０内に位置させた状態で、配線カバー１を、９０度を若干超える位置まで上向きに回動させる。すると、カバー本体１５の側端部の上面が、天板２の開口部３の上縁に当接することにより、配線カバー１は、第１上向き突部８と、開口部３の上縁との２点により、９０度を若干超える位置に起立保持される。この際、載置片１７の先端が係止溝１０内に位置して係止保持されているので、起立状態に安定的に保持される。
【００３２】
なお、図１０に示すように、縁カバー１９にケーブル２３を配線した状態で、配線カバー１を起立状態にすることができ、この場合には、カバー本体１５の側端部の上面が、天板２の開口部３の上縁にケーブル２３を介して接することにより、配線カバー１が起立状態に安定的に保持される。
【００３３】
このようにして、配線カバー１を起立保持することにより、配線カバー１を開口部３より取り外すことなく、開口部３を大きく開放することができ、大きな電気機器等を配線ダクト４に容易に載置することができる。
【００３４】
以上説明したように、前記実施例においては、従来のような複雑な機構を設けることなく、極めて簡単な構造で、開口部３に配線カバー１を起立保持することができるので、コスト低減を図ることができる。
【００３５】
また、前記実施例のように、開口部３及び配線カバー１を方形をなすものとして、それらの四隅部に、第１、第２上向突部８、９と、これに支持される載置片１７、１７とを設けることにより、配線カバー１を、天板２の前後左右の４方向に選択的に起立保持することができ、使い勝手が向上する。
【００３６】
なお、配線カバー１を、前後または左右に２分割構造として、２つの配線カバー１を、それぞれ前後左右の４方向に選択的に起立保持することも可能である。
【００３７】
なお、図１１の変形例１に示すように、第２上向突部９’を三角形断面に形成せずに、その上端面を平坦に形成してもよい。このようにすることで、第２上向突部９’の上端面に、配線カバー１の載置片１７を載せた場合に、該第２上向突部９’から係止溝１０まで載置片１７の先端がスムーズに移動されるようになる。
【００３８】
さらに、図１２の変形例２に示すように、第１上向突部８の上端を屈曲させて、配線カバー１の載置片１７の先端が係止される係止片２４を形成してもよい。このようにすることで、第２上向突部９を乗り越えて係止溝１０内に落ち込んだ載置片１７の先端が、係止片２４によって係止され、第１上向突部８を乗り越えて脱落してしまうことを防止できる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、支持部材５に第１上向突部８と第２上向突部９との２個の上向突部を設けているが、第２上向突部９を省略し、第１上向突部８のみとすることもある。
【００４１】
また、配線カバー１を、開口部３とほぼ同じ大きさのカバー本体１５のみとして、縁カバー１９を省略することもある。この際には、カバー本体１５の四隅部に、載置片１７を、外方に大きく突出させないで設ければよい。
【００４２】
前記実施例では、開口部３と配線カバー１の四隅部に、第１、第２上向突部８、９と載置片１７、１７を設けているが、開口部３と配線カバー１の４辺の中間部に、それぞれ、第１、第２上向突部８、９を有する１個または複数の支持部材と、これに載置される硬質の載置片を設けてもよい。このようにしても、配線カバー１を、前後左右の４方向に選択的に起立保持することができる。
【００４３】
また、図１３の平面図に略示するように、天板２に形成した開口部３、及びそれに装着される配線カバー１を細長い長方形をなす形状とした際には、開口部３の長手方向の一側部の下面と、配線カバー１のカバー本体１５における縁カバー１９を取り付けた側の長手方向の中間部とに、それぞれ、前述と同様の第１、第２上向突部（図示略）を有する１個または複数の支持部材２１と、これに載置される硬質の載置片２２を設けることにより、配線カバー１を、長手方向の一側部を中心として起立保持させることができる。
【符号の説明】
【００４４】
１                配線カバー
２                天板
３                開口部
４                配線ダクト
５                支持部材
６                ネジ
７                基板
８                第１上向突部
９                第２上向突部
１０              係止溝
１１              パネル取付部
１２              支持筒
１３              嵌合孔
１４              キャップ
１５              カバー本体
１６              皿ねじ
１７              載置片
１７ａ            突条
１８              コーナー部材
１９              縁カバー
２０              凹溝
２１              支持部材
２２              載置片
２３              ケーブル
２４              係止片
【図１】
0005918500.tif 000002
【図２】
0005918500.tif 000003
【図３】
0005918500.tif 000004
【図４】
0005918500.tif 000005
【図５】
0005918500.tif 000006
【図６】
0005918500.tif 000007
【図７】
0005918500.tif 000008
【図８】
0005918500.tif 000009
【図９】
0005918500.tif 000010
【図１０】
0005918500.tif 000011
【図１１】
0005918500.tif 000012
【図１２】
0005918500.tif 000013
【図１３】
0005918500.tif 000014